(57)【要約】【課題】ユーザの個人情報を保護するとともに、ユーザにとってより適切であろうと評価されたコンテンツを優先的に提供することができる情報端末を提供する。【解決手段】コンテンツを含む情報を受信する受信部１０１と、コンテンツの推薦者情報に対して予め設定した信用度情報を記憶する情報記憶部１０４と、受信した情報に含まれているコンテンツの推薦者情報及びコンテンツの推薦度情報を抽出し、コンテンツの推薦者情報に対して予め設定した信用度情報とコンテンツの推薦度情報とに基づいてコンテンツの評価値を算出する情報評価部１０３と、評価値の高いコンテンツを選択して再生する情報再生処理部１０６とを備える。【選択図】図１
2006201910.tif 000002
【特許請求の範囲】
【請求項１】
コンテンツを含む情報を受信する受信部と、
コンテンツの推薦者情報に対して予め設定した信用度情報を記憶する手段と、
受信した情報に含まれているコンテンツの推薦者情報及びコンテンツの推薦度情報を抽出し、前記コンテンツの推薦者情報に対して予め設定した信用度情報と前記コンテンツの推薦度情報とに基づいてコンテンツの評価値を算出する情報評価部と、
を有する情報端末。
【請求項２】
コンテンツを含む情報を受信する受信部と、
予め設定した情報受信者の属性を記憶する手段と、
コンテンツの推薦者情報に対して予め設定した信用度情報を記憶する手段と、
受信した情報に含まれている情報受信者の属性を指定するユーザ条件情報と前記予め設定した情報受信者の属性とに基づいてユーザ条件に該当するか否かを判定するターゲット該当判定部と、
受信した情報に含まれているコンテンツの推薦者情報、前記ユーザ条件に該当する場合のコンテンツの推薦度情報及び前記ユーザ条件に該当しない場合のコンテンツの推薦度情報を抽出し、前記ユーザ条件に該当する場合には、前記コンテンツの推薦者情報に対して予め設定した前記信用度情報と前記ユーザ条件に該当する場合の推薦度情報とに基づいて前記コンテンツの評価値を算出し、前記ユーザ条件に該当しない場合には、前記コンテンツの推薦者情報に対して予め設定した前記信用度情報と前記ユーザ条件に該当しない場合の推薦度情報とに基づいて前記コンテンツの評価値を算出する情報評価部と、
を有する情報端末。
【請求項３】
コンテンツを含む情報を受信する受信部と、
コンテンツの推薦者情報に対して予め設定した信用度情報を記憶する手段と、
受信した情報に含まれており、１以上のメディアから構成されるコンテンツの再生方法を示す再生制御情報を解析する再生情報解析部と、
受信した情報に含まれているコンテンツの推薦者情報及びコンテンツの推薦度情報を抽出し、前記コンテンツの推薦者情報に対して予め設定した信用度情報と前記コンテンツの推薦度情報とに基づいてコンテンツの評価値を算出する情報評価部と、
前記再生制御情報及び前記コンテンツの評価値とに応じて受信したコンテンツを再生する情報再生処理部と、
を有することを特徴とする情報端末。
【請求項４】
コンテンツを含む情報を受信する受信部と、
予め設定した情報受信者の属性を記憶する手段と、
コンテンツの推薦者情報に対して予め設定した信用度情報を記憶する手段と、
受信した情報に含まれており、１以上のメディアから構成されるコンテンツの再生方法を示す再生制御情報を解析する再生情報解析部と、
受信した情報に含まれている情報受信者の属性を指定するユーザ条件情報と前記予め設定した情報受信者の属性とに基づいてユーザ条件に該当するか否かを判定するターゲット該当判定部と、
受信した情報に含まれているコンテンツの推薦者情報、前記ユーザ条件に該当する場合のコンテンツの推薦度情報及び前記ユーザ条件に該当しない場合のコンテンツの推薦度情報を抽出し、前記ユーザ条件に該当する場合には、前記コンテンツの推薦者情報に対して予め設定した前記信用度情報と前記ユーザ条件に該当する場合の推薦度情報とに基づいて前記コンテンツの評価値を算出し、前記ユーザ条件に該当しない場合には、前記コンテンツの推薦者情報に対して予め設定した前記信用度情報と前記ユーザ条件に該当しない場合の推薦度情報とに基づいて前記コンテンツの評価値を算出する情報評価部と、
前記再生制御情報及び前記コンテンツの評価値に応じて受信したコンテンツを再生する情報再生処理部と、
を有する情報端末。
【請求項５】
情報提供装置から１以上の情報端末へ情報を提供する情報提供方法であって、
前記情報提供装置は、コンテンツとコンテンツの推薦者情報とコンテンツの推薦度情報とを含む情報を配信し、
前記情報端末は、前記コンテンツの推薦者情報に対して予め設定されている信用度情報と前記コンテンツの推薦度情報とに基づいて前記コンテンツの評価値を算出する情報提供方法。
【請求項６】
情報提供装置から１以上の情報端末へ情報を提供する情報提供方法であって、
前記情報提供装置は、コンテンツと情報受信者の属性を指定するユーザ条件情報とコンテンツの推薦者情報と前記ユーザ条件に該当する場合のコンテンツの推薦度情報と前記ユーザ条件に該当しない場合のコンテンツの推薦度情報とを含む情報を配信し、
前記情報端末は、予め設定した情報受信者の属性が前記ユーザ条件情報に該当するか否かを判定し、前記ユーザ条件に該当する場合には、前記コンテンツの推薦者情報に対して予め設定されている信用度情報と前記ユーザ条件に該当する場合のコンテンツの推薦度情報とに基づいて前記コンテンツの評価値を算出し、前記ユーザ条件に該当しない場合には、前記コンテンツの推薦者情報に対して予め設定されている信用度情報と前記ユーザ条件に該当しない場合のコンテンツの推薦度情報とに基づいて前記コンテンツの評価値を算出する情報提供方法。
【発明の詳細な説明】
【技術分野】
【０００１】
本発明は、放送的に配信されるコンテンツを受信する情報端末及び情報提供方法に関する。
【背景技術】
【０００２】
消費者の位置や嗜好に応じた広告情報を配信する広告提供システムが提案されている。この広告提供システムは、通信回線により相互に接続された通信事業者端末、消費者端末、企業端末とを備えた広告提供システムであり、通信事業者端末は、広告情報、消費者の位置情報及び嗜好情報を格納する手段と、消費者の位置情報と嗜好情報と時間を考慮して消費者毎に広告情報を選択し、広告情報を該当する消費者に送信する手段とを有している（特許文献１参照）。
【０００３】
また、放送的に配信されるコンテンツの中から、利用者の所望するコンテンツを収集することができる移動端末が提案されている。この移動端末は、特定の地域範囲に放送的に配信されるコンテンツを受信するコンテンツ受信手段を有するものであって、コンテンツを記録することができるメモリと、メモリに記録すべきコンテンツの情報条件（カテゴリ及びキーワード）を予め設定する情報条件設定手段と、情報条件（カテゴリ及びキーワード）に該当するコンテンツのみをメモリに記録するフィルタリング手段と、メモリに記録されたコンテンツを閲覧及び操作することができる閲覧操作手段とを有している（特許文献２参照）。
【０００４】
【特許文献１】特開２００１−２８２８３４号公報
【特許文献２】特開２００２−１７６４０３号公報
【発明の開示】
【発明が解決しようとする課題】
【０００５】
上記の広告提供システムでは、ユーザ（消費者）が個人情報（位置情報及び嗜好情報）を通信事業者端末側に提供しなければならず、プライバシー情報の流用や漏洩が危惧されるという問題がある。
【０００６】
また、上記の移動端末では、カテゴリ及びキーワードを設定し、受信情報をフィルタリングするものの、キーワードの検索では文脈が分からず、必ずしも適切な情報選択が行なわれるとは限らないという問題がある。
【０００７】
本発明は、上記事情に鑑みてなされたもので、ユーザの個人情報を保護するとともに、ユーザにとってより適切であろうと評価されたコンテンツを優先的に提供することができる情報端末及び情報提供方法を提供することを目的とする。
【課題を解決するための手段】
【０００８】
本発明に係る情報端末は、コンテンツを含む情報を受信する受信部と、コンテンツの推薦者情報に対して予め設定した信用度情報を記憶する手段と、受信した情報に含まれているコンテンツの推薦者情報及びコンテンツの推薦度情報を抽出し、前記コンテンツの推薦者情報に対して予め設定した信用度情報と前記コンテンツの推薦度情報とに基づいてコンテンツの評価値を算出する情報評価部と、を有する。
【０００９】
この構成によれば、コンテンツの推薦者情報に対して予め設定した信用度情報とコンテンツの推薦度情報とに基づいてコンテンツの評価値を算出することができる。したがって、評価値の高いコンテンツを優先的に提供することが可能となる。
【００１０】
また、本発明に係る情報端末は、コンテンツを含む情報を受信する受信部と、予め設定した情報受信者の属性を記憶する手段と、コンテンツの推薦者情報に対して予め設定した信用度情報を記憶する手段と、受信した情報に含まれている情報受信者の属性を指定するユーザ条件情報と前記予め設定した情報受信者の属性とに基づいてユーザ条件に該当するか否かを判定するターゲット該当判定部と、受信した情報に含まれているコンテンツの推薦者情報、前記ユーザ条件に該当する場合のコンテンツの推薦度情報及び前記ユーザ条件に該当しない場合のコンテンツの推薦度情報を抽出し、前記ユーザ条件に該当する場合には、前記コンテンツの推薦者情報に対して予め設定した前記信用度情報と前記ユーザ条件に該当する場合の推薦度情報とに基づいて前記コンテンツの評価値を算出し、前記ユーザ条件に該当しない場合には、前記コンテンツの推薦者情報に対して予め設定した前記信用度情報と前記ユーザ条件に該当しない場合の推薦度情報とに基づいて前記コンテンツの評価値を算出する情報評価部と、を有する。
【００１１】
この構成によれば、推薦者の信用度及びユーザ条件に対応した評価値を得ることができる。したがって、情報受信者の属性に適したコンテンツを優先的に提供することが可能となる。
【００１２】
また、本発明に係る情報端末は、コンテンツを含む情報を受信する受信部と、コンテンツの推薦者情報に対して予め設定した信用度情報を記憶する手段と、受信した情報に含まれており、１以上のメディアから構成されるコンテンツの再生方法を示す再生制御情報を解析する再生情報解析部と、受信した情報に含まれているコンテンツの推薦者情報及びコンテンツの推薦度情報を抽出し、前記コンテンツの推薦者情報に対して予め設定した信用度情報と前記コンテンツの推薦度情報とに基づいてコンテンツの評価値を算出する情報評価部と、前記再生制御情報及び前記コンテンツの評価値とに応じて受信したコンテンツを再生する情報再生処理部と、を有する。
【００１３】
この構成によれば、コンテンツの推薦者情報に対して予め設定した信用度情報とコンテンツの推薦度情報とに基づいてコンテンツの評価値を算出することができ、評価値の高いコンテンツを再生することができる。
【００１４】
また、本発明に係る情報端末は、コンテンツを含む情報を受信する受信部と、予め設定した情報受信者の属性を記憶する手段と、コンテンツの推薦者情報に対して予め設定した信用度情報を記憶する手段と、受信した情報に含まれており、１以上のメディアから構成されるコンテンツの再生方法を示す再生制御情報を解析する再生情報解析部と、受信した情報に含まれている情報受信者の属性を指定するユーザ条件情報と前記予め設定した情報受信者の属性とに基づいてユーザ条件に該当するか否かを判定するターゲット該当判定部と、受信した情報に含まれているコンテンツの推薦者情報、前記ユーザ条件に該当する場合のコンテンツの推薦度情報及び前記ユーザ条件に該当しない場合のコンテンツの推薦度情報を抽出し、前記ユーザ条件に該当する場合には、前記コンテンツの推薦者情報に対して予め設定した前記信用度情報と前記ユーザ条件に該当する場合の推薦度情報とに基づいて前記コンテンツの評価値を算出し、前記ユーザ条件に該当しない場合には、前記コンテンツの推薦者情報に対して予め設定した前記信用度情報と前記ユーザ条件に該当しない場合の推薦度情報とに基づいて前記コンテンツの評価値を算出する情報評価部と、前記再生制御情報及び前記コンテンツの評価値に応じて受信したコンテンツを再生する情報再生処理部と、を有する。
【００１５】
この構成によれば、コンテンツの推薦者情報に対して予め設定した信用度情報とコンテンツの推薦度情報とに基づいてコンテンツの評価値を算出することができ、評価値の高いコンテンツを再生することができる。
【００１６】
本発明に係る情報提供方法は、情報提供装置から１以上の情報端末へ情報を提供する情報提供方法であって、前記情報提供装置は、コンテンツとコンテンツの推薦者情報とコンテンツの推薦度情報とを含む情報を配信し、前記情報端末は、前記コンテンツの推薦者情報に対して予め設定されている信用度情報と前記コンテンツの推薦度情報とに基づいて前記コンテンツの評価値を算出する。
【００１７】
この方法によれば、コンテンツの推薦者情報に対して予め設定した信用度情報とコンテンツの推薦度情報とに基づいてコンテンツの評価値を算出することができる。したがって、評価値の高いコンテンツを優先的に提供することが可能となる。
【００１８】
また、本発明に係る情報提供方法は、情報提供装置から１以上の情報端末へ情報を提供する情報提供方法であって、前記情報提供装置は、コンテンツと情報受信者の属性を指定するユーザ条件情報とコンテンツの推薦者情報と前記ユーザ条件に該当する場合のコンテンツの推薦度情報と前記ユーザ条件に該当しない場合のコンテンツの推薦度情報とを含む情報を配信し、前記情報端末は、予め設定した情報受信者の属性が前記ユーザ条件情報に該当するか否かを判定し、前記ユーザ条件に該当する場合には、前記コンテンツの推薦者情報に対して予め設定されている信用度情報と前記ユーザ条件に該当する場合のコンテンツの推薦度情報とに基づいて前記コンテンツの評価値を算出し、前記ユーザ条件に該当しない場合には、前記コンテンツの推薦者情報に対して予め設定されている信用度情報と前記ユーザ条件に該当しない場合のコンテンツの推薦度情報とに基づいて前記コンテンツの評価値を算出する。
【００１９】
この方法によれば、推薦者の信用度及びユーザ条件に対応した評価値を得ることができる。したがって、情報受信者の属性に適したコンテンツを優先的に提供することが可能となる。
【発明の効果】
【００２０】
本発明によれば、ユーザの個人情報の流用、漏洩をなくし、ユーザのプライバシーを保護することができるとともに、情報提供者が提供するコンテンツの推薦者とその推薦者が与える推薦度と推薦者に対するユーザの信用度とを利用することによりコンテンツの評価値を算出することができ、ユーザにとってより適切であろうと評価されたコンテンツを優先的に提供することが可能となる。
【発明を実施するための最良の形態】
【００２１】
本発明の実施の形態について図面を参照して詳細に説明する。
【００２２】
本発明の骨子は、情報提供者が提供するコンテンツに付随する属性情報に含まれる推薦者情報と、その推薦者が与える推薦度情報と、その推薦者に対する信用度情報とを用いて、受信する各コンテンツに対する評価値を算出し、情報受信者にとって、より重要であるコンテンツを提示するように構成したものである。また、推薦者が与える推薦度情報を、情報受信者のユーザ特性に応じて異なる推薦度情報を与えるように構成している。
【００２３】
（実施の形態）
図１〜図７は、実施の形態を説明する図である。はじめに、図３を用いて、情報提供システムの構成について説明する。
【００２４】
情報提供システム３５０は、図３に示すように、情報提供装置としてデータを送信する情報配信サーバ（放送サーバ）３００と、携帯電話機、ＰＤＡ（Personal Digital Assistant）等の複数の情報端末３０１〜３０３と、情報配信サーバ３００にインターネット３３０を経由してコンテンツを提供する複数の情報提供サーバ３１１〜３１３と、情報配信サーバ３００からのデータをコアネットワーク３２０を経由して受信し、このデータを情報端末３０１〜３０３に送信する基地局３２１〜３２３とを備えて構築されている。ここで、情報端末３０１〜３０３、情報提供サーバ３１１〜３１３、基地局３２１〜３２３のそれぞれの数は、特に限定されるものではない。
【００２５】
次に、図１を用いて、情報端末３０１〜３０３の構成について説明する。図１は、情報端末のブロック図である。
【００２６】
情報端末３０１〜３０３は、受信部１０１と、再生情報解析部１０２と、情報評価部１０３と、情報記憶部１０４と、ターゲット該当判定部１０５と、情報再生処理部１０６とを備えている。また、情報端末３０１〜３０３は、図示しない入力操作部、図示しない表示部及び図示しない入出力制御部等を備えている。
【００２７】
受信部１０１は、放送情報の受信を含むデータの受信を行う。
【００２８】
再生情報解析部１０２は、放送情報に含まれる再生制御情報を解析する機能を有する。再生制御情報は、１以上のオーディオやビデオ等のメディアへの参照情報と、表示位置に関するレイアウト情報とを含む情報である。
【００２９】
情報評価部１０３は、後述する方法により、受信したコンテンツの評価値を算出する機能を有する。コンテンツの評価値は、コンテンツの重要度情報（優先度情報）に相当するものである。
【００３０】
情報記憶部１０４は、ユーザに関する情報及び受信情報を記憶する記憶部である。この情報記憶部１０４は、コンテンツの推薦者情報に対して予め設定した信用度情報を記憶する手段を構成するとともに、予め設定した情報受信者の属性を記憶する手段を構成する。
【００３１】
ターゲット該当判定部１０５は、情報受信者の属性（ユーザ特性やユーザ状況）が、情報提供者が提示するターゲット条件に該当するか否かを判定する機能を有する。
【００３２】
情報再生処理部１０６は、再生制御情報に基づきコンテンツを再生する機能を有する。
【００３３】
次に、情報端末３０１〜３０３における情報再生方法について説明する。
【００３４】
情報配信サーバ３００は、オーディオ、ビデオなどの複数のメディアから構成されるメディア情報と、そのメディアの再生タイミングや表示位置などの再生方法に関する再生制御情報と、再生制御情報から参照される各メディアに対するコンテンツ属性情報と、特徴的なユーザ特性やユーザ状況を指定するための条件情報であるターゲット情報と、を含む放送情報を情報端末３０１〜３０３に対して配信する。
【００３５】
図５は、本実施の形態におけるコンテンツ属性情報である。
【００３６】
図５に示すコンテンツ属性情報は、３つのコンテンツに対して、それぞれ、コンテンツ識別情報と推薦者情報と推薦度情報とターゲット識別情報とを含んでいる。推薦度情報は、通常選択される第一の推薦度情報と、情報受信者がターゲット識別情報にて参照するターゲット情報に該当する時に選択される第二の推薦度情報とで構成される。
【００３７】
ターゲット識別情報は、情報受信者の特徴や状況を指定する条件情報を識別する情報であり、ターゲット識別情報「target01」、「target02」、「target03」は、それぞれのターゲット情報を指定している。ターゲット情報（図示せず）は、例えば、「３０歳かつ女性」または、「映画ファン」といったユーザに関わる情報にて構成される条件情報である。
【００３８】
情報端末３０１が、複数のメディア情報と、図４に示す再生制御情報４００と、図５に示すコンテンツ属性情報と、ターゲット情報とを含む放送情報を受信する時の処理を図２の処理フローを用いて説明する。
【００３９】
ステップＳ２０１において、受信部１０１は、放送情報（配信情報）を受信する。
【００４０】
ステップＳ２０２において、再生情報解析部１０２は、放送情報に含まれるメディアの再生方法を示す再生制御情報を抽出し、解析を行う。
【００４１】
図４は、本実施の形態で受信する再生制御情報４００である。
【００４２】
再生制御情報４００は、表示するメディアのレイアウト情報４１１と、再生するメディアへの参照情報４３１〜４３５と再生タイミングとを含む再生メディアに関する情報４１２とで構成される。
【００４３】
レイアウト情報４１１は、２つのレイアウト情報４２１〜４２２からなる。
【００４４】
再生メディアに関する情報４１２は、制御情報４４１により、参照情報にて示される各メディアを同時に再生することと、選択情報４４２により、参照情報４３３〜４３５で示される３つのコンテンツの内いずれか一つを選択することが示される。
【００４５】
よって、再生制御情報４００は、参照情報４３１で示されるオーディオ情報と、参照情報４３２で示されるビデオ情報と、参照情報４３３〜４３５で示されるコンテンツの内のいずれか一つのコンテンツと、を同時に再生することを示す。
【００４６】
また、参照情報４３３〜４３５には、評価属性情報４５１が含まれており、評価属性情報４５１は、コンテンツ属性情報（attr.xml）を参照して、最も評価値が高いと判断されるコンテンツを選択することが示される。
【００４７】
図２に示すステップＳ２０３において、情報評価部１０３は、評価属性情報４５１にて参照される図５に示すコンテンツ属性情報（attr.xml）を解析する。
【００４８】
図５に示すコンテンツ属性情報は、コンテンツ識別情報がそれぞれ、「content01」、「content02」、「content03」で示される３つのコンテンツに関する属性情報が示される。
【００４９】
第一のコンテンツ「content01」は、推薦者「ＡＡＡ」による推薦度情報として、ターゲット「target01」に該当する場合には、「０．７」、該当しない場合には、「０．５」の推薦値が与えられることが示される。
【００５０】
第二のコンテンツ「content02」は、推薦者「ＢＢＢ」による推薦度情報として、ターゲット「target02」に該当する場合には、「０．８」、該当しない場合には、「０．２」の推薦値が与えられることが示される。
【００５１】
第三のコンテンツ「content03」は、推薦者「ＣＣＣ」による推薦度情報として、ターゲット「target03」に該当する場合には、「０．９」、該当しない場合には、「０．３」の推薦値が与えられることが示される。
【００５２】
図２に示すステップＳ２０４において、情報評価部１０３は、情報記憶部１０４に記憶されている推薦者の信用度を抽出する。
【００５３】
図６に、情報記憶部１０４に記憶されている信用度情報を示す。信用度情報は、人物情報と、その人物の信用情報との組で構成されている。図６の信用度情報は、人物「ＡＡＡ」の信用情報（信用度）は「２」、人物「ＢＢＢ」の信用情報（信用度）は「１」、人物「ＣＣＣ」の信用情報（信用度）は「４」であることが示される。信用情報（信用度）の数字が大きいほど、信用度が高いことを示す。なお、各人物に対する信用情報（信用度）は、情報端末のユーザが予め設定しておく。
【００５４】
なお、評価値の算出において、ある推薦者の信用度が、予め取り決めた基準値に満たない場合、その人物が推薦する情報の評価値を低くするようにすることが望ましい。
【００５５】
図２に示すステップＳ２０５において、ターゲット該当判定部１０５は、図５のコンテンツ属性情報のそれぞれのターゲット識別情報「target01」、「target02」、「target03」により参照されるターゲット情報を参照し、情報配信者が指定するターゲット条件に該当するか否かを判定する。
【００５６】
本実施の形態では、情報受信者は、ターゲット識別情報「target01」で識別されるターゲット情報に該当するものとする。ターゲット該当判定部１０５は、情報受信者が、ターゲット識別情報「target01」で識別されるターゲット条件に該当すると判断する。例えば、第一のターゲット条件（target01）が「３０代かつ女性」という条件であり、情報記憶部１０４に、年齢情報として「３５歳」、性別情報として「女性」というユーザに関する情報を記憶している場合であり、この場合、情報受信者は、第一のターゲット条件（target01）に該当する。
【００５７】
ステップＳ２０６において、情報評価部１０３は、各コンテンツに対する推薦度を抽出する。第一のターゲット条件（target01）に該当する情報受信者に対するコンテンツ「content01」の推薦度情報は「０．７」となる。第二及び第三のターゲット条件（target02）、（target03）に該当しない情報受信者に対して、コンテンツ「content02」、「content03」の推薦度情報は、ぞれぞれ、「０．２」、「０．３」となる。
【００５８】
ステップＳ２０７において、情報評価部１０３は、各コンテンツに対する評価値を算出する。評価値は、推薦度情報と信用情報との積算により算出する。第一のコンテンツ「content01」の評価値は、「０．７ × ２ ＝ １．４」となる。第二のコンテンツ「content02」の評価値は、「０．２ × １ ＝ ０．２」となる。第三のコンテンツ「content03」の評価値は、「０．３ × ４ ＝ １．２」となる。情報評価部１０３は、第一のコンテンツ「content01」の評価値が最も高いと判定する。
【００５９】
ステップＳ２０８において、再生情報解析部１０２は、参照情報４３３〜４３５で参照されるコンテンツの中で、評価値の最も高い、参照情報４３３で参照するコンテンツ（content1.thml）を再生するコンテンツと決定する。
【００６０】
ステップＳ２０９において、情報再生処理部１０６は、参照情報４３１で参照されるオーディオ情報と、参照情報４３２で参照されるビデオ情報と、参照情報４３３で参照されるコンテンツ（content1.html）を同時に再生する。
【００６１】
再生表示例を、図７に示す。情報端末３０１〜３０３の第一の表示領域７０１に参照情報４３２で参照されるビデオ情報が表示され、第二の表示領域７０２に参照情報４３３で参照されるコンテンツ（content01.html）が表示され、スピーカ７０３より参照情報４３１で参照されるオーディオ情報が出力される。
【００６２】
このように、本実施の形態によれば、複数の情報端末に同様の情報を提供する放送データの配信においても、放送情報に含まれる各コンテンツに対する推薦者情報と、その推薦者が与える推薦度情報と、その推薦者に対する情報受信者が評価する信用度情報とを用いて、受信する情報に対して評価値を与えることにより、情報受信者にとって、より重要な情報を優先して提供することが可能となる。
【００６３】
なお、本実施の形態では、再生制御情報から参照される三つのコンテンツのうち、一つのコンテンツを選択する例を示したが、再生制御情報から参照されるコンテンツの選択に限らず、別々に受信したコンテンツの提示において用いることもでき、任意のタイミング、方法にて受信したコンテンツに対する優先度の付与においてや、ユーザへ提示するコンテンツの選択において、本実施の形態での評価値算出方法を利用しても良い。また、複数のコンテンツの一覧をリスト表示する場合に、算出した評価値に基づき、評価値が高いコンテンツを優先して、リストの上位に表示するようにしても良い。
【産業上の利用可能性】
【００６４】
本発明によれば、ユーザの個人情報の流用、漏洩をなくし、ユーザのプライバシーを保護することができるとともに、情報提供者が提供するコンテンツの推薦者とその推薦者が与える推薦度と推薦者に対するユーザの信用度とを利用することによりコンテンツの評価値を算出することができるという効果を有し、携帯電話機、携帯情報端末、ノート型パーソナルコンピュータ、無線ＬＡＮや有線ＬＡＮにより構築されたネットワーク上のパーソナルコンピュータ等の情報端末、情報提供サーバ、及び情報提供方法に有用である。
【図面の簡単な説明】
【００６５】
【図１】本発明の実施の形態の情報端末を示すブロック図
【図２】本発明の実施の形態の情報端末における受信情報の処理方法を説明するためのフローチャート
【図３】本発明の実施の形態の情報提供システムの構成を示す図
【図４】本発明の実施の形態の再生制御情報の一例を示す図
【図５】本発明の実施の形態のコンテンツ属性情報の一例を示す図
【図６】本発明の実施の形態の信用度情報の一例を示す図
【図７】本発明の実施の形態の情報端末における受信情報の表示の一例を示す図
【符号の説明】
【００６６】
１０１  受信部
１０２  再生情報解析部
１０３  情報評価部
１０４  情報記憶部
１０５  ターゲット該当判定部
１０６  情報再生処理部
３００  情報配信サーバ
３０１〜３０３  情報端末
３１１〜３１３  情報提供サーバ
３２０  コアネットワーク
３２１〜３２３  基地局
３３０  インターネット
３５０  情報提供システム
【図１】
2006201910.tif 000003
【図２】
2006201910.tif 000004
【図３】
2006201910.tif 000005
【図４】
2006201910.tif 000006
【図５】
2006201910.tif 000007
【図６】
2006201910.tif 000008
【図７】
2006201910.tif 000009